(57)【要約】【課題】混合流れ式ファンにおいて操作領域が増大した好ましい特性曲線を達成することのでき、また、操作領域において失速が発生することなく、使用性を高めることのできるファンブレードを提供する。【解決手段】一端面を平面とし、他端面に収納部を形成してなるハブと、該ハブの外周面に等間隔で複数形成し、表面に円弧状面を形成するとともに、底部と該ハブの外周面とが接続する個所には円弧状曲面を形成してなるブレードとによってなり、ハブの平面を形成する側を空気の吸入される進入端とし、かつ該ハブの収納部を形成する側を風の排出される出口端とするとともに、隣接する該ブレード底部の間を空気の通過する円弧状ガイド溝とすることを特徴とするファンブレード。【選択図】図１
0003098180.tif 000002
【実用新案登録請求の範囲】
【請求項１】
一端面を平面とし、他端面に収納部を形成してなるハブと、
該ハブの外周面に等間隔で複数形成し、表面に円弧状面を形成するとともに、底部と該ハブの外周面とが接続する個所には円弧状曲面を形成してなるブレードとによってなり、
ハブの平面を形成する側を空気の吸入される進入端とし、かつ該
ハブの収納部を形成する側を風の排出される出口端とするとともに、隣接する該ブレード底部の間を空気の通過する円弧状ガイド溝とすることを特徴とするファンブレード。
【請求項２】
前記ハブの外周面に、該収納部から該平面に向けて外周面が縮小するように傾斜面を形成することを特徴とする請求項１記載のファンブレード。
【請求項３】
前記ハブの収納部の直径が、該平面の直径より大きく形成されることを特徴とする請求項２に記載のファンブレード。
【請求項４】
前記進入端と該出口端との断面積比が１．９〜２．３であることを特徴とする請求項１に記載のファンブレード。
【請求項５】
前記ブレードの底部の円弧状曲面が、それぞれ該ハブの外周面において同一方向に配設されることを特徴とする請求項１に記載のファンブレード。
【考案の詳細な説明】
【０００１】
【考案の属する技術分野】
この考案は、ファンブレードに関し、特に混合流式ファンの特性を改良したファンブレードに関する。
【０００２】
【従来の技術】
ファン（送風機）の用途は極めて広く、例えば石油化学、セメント、化学工程、鉱山、鉄鋼、交通、公害防止などの技術領域に関する各種工業で多用されている、またオフィースビル、一般の家庭などにおいてもファン（送風機）を使用している。その使用目的は、ダクト抵抗を抑制して必要とする風量を特定の地点に送ることにある。よって、通風、もしくは塵埃の収集システムなどにおいて重要な役割を担っている。よって、その特性と運転を理解すれば、通風に関する問題は、効率よく解決することができる。
【０００３】
ファン（送風機）は、気流の進入と吹き付ける方向によって遠心式、斜め流れ式、混合流れ式、及び横流れ式の四種類に大別することができ、工業用には遠心式、斜め流れ式、混合流れ式の三種類が多用される。特に混合流れ式は高風量を必要とする場合に多用される。
【０００４】
ファン（送風機）に関する先行技術の一に、台湾実用新案登録出願第８８２１５１２１号がある。考案の名称は「改良式扇葉（和訳：改良型ファンブレード）」であって、複数の羽根を具えるファンブレード本体と、該ファンブレード本体に連接して該羽根の強度を高めるとともに該ファンブレード本体の回転時に拡散する風量を増加するエア・スペース構造とを含んでなることを特徴とする。
【０００５】
前記「改良式扇葉」なる考案は、ファンブレード本体が回転する場合の風量以外に、側面から進入して排出される拡散風量を増加することができる。但し、該ファンブレードは、混合流れ式のファンの特性を応用し、ファンブレードの回転軸の方向に沿って吸気と排気を行うだけのことであって、ファンブレード本体の外縁部にエア・スペース構造を設けてはいるが、該ファンブレード本体の回転時に拡散風量を増加させるだけの効果しかない。即ち、係る改良は混合流れ式ファンの特性に適合することなく、ファンの風量を変更するまでに至らない。よって、混合流れ式ファンの使用上の性能を高めることができず、使用者の需要に応えることができない。
【０００６】
【考案が解決しようとする課題】
この考案は、混合流れ式ファンにおいて操作領域が増大した好ましい特性曲線を達成することのできるファンブレードを提供することを課題とする。
【０００７】
また、この考案は混合流れ式ファンの操作領域において失速が発生することなく、使用性を高めることのできるファンブレードを提供することを課題とする。
【０００８】
【課題を解決するための手段】
そこで、本考案者は従来の技術に見られる欠点に鑑み鋭意研究を重ねた結果、一端面を平面とし、他端面に収納部を形成してなるハブと、該ハブの外周面に複数形成し、表面に円弧状面を形成し、底部と該ハブの外周面とが接続する個所には円弧状曲面を形成してなるブレードと、ハブの平面を形成する側を空気の吸入される進入端とし、かつ該ハブの収納部を形成する側を風の排出される出口端とし、隣接する該ブレード底部の間を空気の通過する円弧状ガイド溝とする構造によって課題を解決できる点に着眼し、かかる知見に基づいて本考案を完成させた。
【０００９】
以下、この考案について具体的に説明する。
請求項１に記載するファンブレードは、一端面を平面とし、他端面に収納部を形成してなるハブと、
該ハブの外周面に等間隔で複数形成し、表面に円弧状面を形成するとともに、底部と該ハブの外周面とが接続する個所には円弧状曲面を形成してなるブレードとによってなり、
ハブの平面を形成する側を空気の吸入される進入端とし、かつ該
ハブの収納部を形成する側を風の排出される出口端とするとともに、隣接する該ブレード底部の間を空気の通過する円弧状ガイド溝とする。
【００１０】
請求項２に記載するファンブレードは、前記ハブの外周面に、該収納部から該平面に向けて外周面が縮小するように傾斜面を形成する。
【００１１】
請求項３に記載するファンブレードは、前記ハブの収納部の直径が、該平面の直径より大きく形成される。
【００１２】
請求項４に記載するファンブレードは、前記進入端と該出口端との断面積比が１．９〜２．３である。
【００１３】
請求項５に記載するファンブレードは、前記ブレードの底部の円弧状曲面が、それぞれ該ハブの外周面において同一方向に配設される。
【００１４】
【考案の実施の形態】
この考案は、混合流れ式ファンにおいて操作領域が増大した好ましい特性曲線を達成することのできるファンブレードを提供するものであって、ハブと、ブレードと、空気の吸入される進入端と、風の排出される出口端と、空気の通過する円弧状ガイド溝とを含んでなる。
かかるファンブレードの構造と特徴を詳述するために、具体的な実施例を挙げ、図示を参照にして以下に説明する。
【００１５】
【実施例】
図１、２は、この考案によるファンブレードの斜視図であって、図３は正面図、図４は背面図である。図面によれば、ファンブレード（１）は、ハブ（２）と、該ハブ（２）の外周面に設けられる複数のブレード（３）とによってなる。
【００１６】
ハブ（２）の一端面には収納部（２１）を形成し、他端面には平面（２２）を形成し、該平面（２３）の直径を収納部（２１）の直径よりも短くする。よって、ハブ（２）の外縁部には、平面（２３）に向かって狭まるように傾斜面（２３）が傾斜される。また、ハブ（２）の平面（２３）を形成する側を進入端（２４）とし、収納部（２１）を形成する側を出口端（２５）とし、かつ進入端（２４）と出口端（２５）の断面積比は１．９〜２．３とする。
【００１７】
ブレード（３）は、ハブ（２）の外周面に等間隔で複数形成し、それぞれのブレード（３）の表面には円弧状面（３１）を形成する。また、それぞれのブレード（３）の底部とハブ（２）の外周面とが接続する個所には円弧状曲面（３２）を形成して、等間隔で設けたブレード（３）の間に円弧状ガイド溝（３３）を形成する。さらに、ブレード（３）の円弧状曲面（３１）は、ハブ（２）の傾斜面（２３）において同一方向に配設して、新規な混合流れ式ファンのファンブレードを構成する。
【００１８】
図５はこの考案によりファンブレードの側面図で、図６は、その特性曲線を表わすグラフである。この考案によるファンブレード（１）は、収納部（２１）に回転軸を設け、該回転軸を介してファンのベアリング（図示しない）に接続し、電流を電動機に供給して回転させる。風の流れは、ハブ（２）の平面（２３）側の進入端（２４）から、収納部（２１）側の出口端（２５）に流れる。即ち、表面に円弧状面（３１）を形成したブレード（３）によって吸引され、等間隔に形成したブレード（３）の底部に形成された円弧状曲面（３１）と円弧状ガイド溝（３３）を通過し、さらにハブ（２）に形成した傾斜面（２３）と、表面に円弧状面（３１）を形成した複数のブレード（３）とによって進入端（２４）から空気を吸入して出口端（２５）から風を排出する。
【００１９】
この考案によるファンブレードは、図６に開示するように、上述の構成によって達成される特性によって操作領域が増大し、好ましい特性曲線が得られる。かかる混合流れ式ファンの操作領域においては失速状態が発生することなく、使用上の性能を高めることができる。
【００２０】
この考案による性能と特性は、Ｅｎｇｉｎｅｅｒｉｎｇ　ｌａｂｏｒａｔｏｒｙ　ｄｅｓｉｇｎ，ＩＮＣに委託し、ＡＳＨＲＡＥ　標準５１−１９８５のファン測定設備によってテストを行い、関連データを得た。
【００２１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００２２】
【考案の効果】
この考案によるファンブレードは、混合流れ式ファンの操作領域を増大させる好ましい特性曲線を達成することができ、該操作領域に失速が発生することなく、使用性を高める効果を有する。
【図面の簡単な説明】
【図１】この考案によるファンブレードの斜視図である。
【図２】図１に開示するファンブレード部分の斜視図である。
【図３】図２に開示するファンブレード部分の正面図である。
【図４】図２に開示するファンブレード部分の背面図である。
【図５】図２に開示するファンブレード部分の側面図である。
【図６】この考案によるファンブレードの特性曲線を表わすグラフである。
【符号の説明】
１　　ファンブレード
２　　ハブ
２１　　収納部
２２　　平面
２３　　傾斜面
２４　　進入端
２５　　出口端
３　　ブレード
３１　　円弧状面
３２　　円弧状曲面
３３　　円弧状態ガイド
【図１】
0003098180.tif 000003
【図２】
0003098180.tif 000004
【図３】
0003098180.tif 000005
【図４】
0003098180.tif 000006
【図５】
0003098180.tif 000007
【図６】
0003098180.tif 000008